Podtech/llm-jp-corpus-v4-ja_patent huggingface dataset:
(57)【要約】【課題】風呂敷には４辺に雄側面ファスナーを設けたものはなく、普通に物を包んだだけでは端部が密着接合せず緩んでしまい、結んだり何らかの工夫をして包みを保持する必要があった。【解決手段】フエルト等の風呂敷の４辺に雄側面ファスナーを設け、普通に物を包んだだけで端部が密着接合し包んだ後の緩みを防止できしっかり包みを保持することができるようにした。【選択図】図１
2015151192.tif 000002
【特許請求の範囲】
【請求項１】
４辺に雄側面ファスナーを設けた風呂敷
【発明の詳細な説明】
【技術分野】
【０００１】この発明は、風呂敷の形状に関する。
【背景技術】
【０００２】従来の風呂敷には、４辺に雄側面ファスナーを設けたものはなかった。
【先行技術文献】
【特許文献】
【０００３】
【特許文献１】特許公開２００１−３２８６６７
【０００４】
【非特許文献】
【非特許文献】実用新案公開平５−４２１６５
【発明の概要】
【発明が解決しようとする課題】
【０００５】しかしながら、以上の技術によれば風呂敷で普通に物を包んだだけでは端部が密着接合せず緩んでしまい、結んだり何らかの工夫をして包みを保持する必要があった。
【課題を解決するための手段】
【０００６】以上の課題を解決するために、本発明はフエルト等の風呂敷の４辺に雄側面ファスナーを設けたことを、特長とする。
【発明の効果】
【０００７】本発明によれば、普通に物を包んだだけで風呂敷の端部が密着接合し包んだ後の緩みを防止できしっかり包みを保持することができる。雌側面ファスナーを使わないので、剥離時騒音にならない程度の強さで接合剥離できる。
【図面の簡単な説明】
【０００８】
【図１】この発明の一実施形態を示す斜視図である。
【発明を実施するための形態】
【０００９】この発明の一実施形態を、図１に示す。
フエルト等の風呂敷１の４辺に雄側面ファスナー２を設ける。
【００１０】「実施形態の効果」
この実施形態によれば、普通に物を包んだだけで風呂敷の端部が密着接合し包んだ後の緩みを防止できしっかり包みを保持することができる。雌側面ファスナーを使わないので、剥離時騒音にならない程度の強さで接合剥離できる。
【００１１】「他の実施形態」
図１の実施形態では、風呂敷の片面４辺のみに雄側面ファスナーを設けているが、両面の４辺に雄側面ファスナーを設けてもよい。
【００１２】４辺に雄側面ファスナーを設けた風呂敷は、包む物にあわせて大きさを変え、風呂敷だけでなく各種カバーや包装具にしてもよい。
【符号の説明】
【００１３】１  風呂敷本体  ２  雄側面ファスナー
【図１】
2015151192.tif 000003
(57)【要約】【課題】加熱された食品を幼児、要介護者に与える時には、その冷却に相当な時間を費やした。その間、幼児、要介護者は空腹を我慢せざるを得ず、また、介護者は自身の食品が冷めてしまうことを我慢せざるを得なかった。本発明は、加熱食品を簡便に冷却するための、加熱済食品冷却用スプレーを提供する。【手段】スプレー缶（１）内に冷却ガス（２）を充填し、ノズル（３）を取り付ける。【選択図】図２
2015151191.tif 000002
【特許請求の範囲】
【請求項１】
スプレー缶（１）内に冷却ガス（２）を充填し、ノズル（３）が取り付けられた加熱食品冷却用スプレー。
【発明の詳細な説明】
【技術分野】
【０００１】    本発明は、加熱された食品を、スプレー内の冷却ガスを用いて冷却することができるようにする為のものである。
【背景技術】
【０００２】  従来、幼児、要介護者に加熱済食品を与える際に適温まで冷却する手段として、送風あるいは経時的に食品を温度低下させる方法が知られている。
【発明の概要】
【発明が解決しようとする課題】
【０００３】  従来の冷却方法には、以下のような欠点があった。
（イ）、いずれの方法にしても適温まで冷却するのに長時間を要してしまう。
本発明は、以上の問題点を解決するために発明されたものである。
【課題を解決するための手段】
【０００４】  スプレー缶（１）内に冷却ガス（２）を充填し、ノズル（３）を取り付ける。
以上の構造よりなる食品冷却用スプレー。
【発明の効果】
【０００５】  本発明を使用することによって、加熱された食品を幼児、要介護者に与える際、与える分の食品はすばやく冷却することができ、幼児、要介護者の空腹時間を短縮することができる。一方、介護者は、食品を冷ます時間が短縮されるために、自身用の食品は冷却されることなく食することができる。
【図面の簡単な説明】
【０００６】
【図１】本発明のスプレーの斜視図
【図２】本発明のスプレーの使用状態を示す斜視図
【発明を実施するための形態】
【０００７】  以下、本発明の実施の形態を説明する。
スプレー缶（１）には冷却ガス（２）が充填され、ノズル（３）が装着されている。本発明は、以上の構成よりなる。
本発明を使用する場合は、冷却対象となる加熱済食品（５）に対し、スプレー缶（１）ノズル（３）のトリガー（４）を操作する。するとスプレー缶（１）内に圧縮されていた冷却ガス（２）が加熱済食品（５）に吹き付けられ、瞬時にして加熱済食品（５）の冷却をおこなうことができる。
【符号の説明】
【０００８】  １  スプレー缶
２  冷却ガス
３  ノズル
４  トリガー
５  加熱済食品
【図１】
2015151191.tif 000003
【図２】
2015151191.tif 000004
(57)【要約】【課題】  取り扱いが容易で、リサイクルが可能な断熱吸音材を提供する。【解決手段】  断熱吸音材１は、第一材３に第二材５が重ね合わされて構成される２層構造とされる。第一材３は、酸化ポリアクリロニトリルの繊維を綿状に形成して構成されている。第二材５は、ポリエステルの繊維を綿状に形成して構成されている。第一材３と第二材５とは、接着剤７により固定されている。【選択図】  図１
2015151100.tif 000002
【特許請求の範囲】
【請求項１】
車両の車体に適用される断熱吸音材であって、
酸化ポリアクリロニトリルの繊維により形成される第一材に、ポリエステルの繊維により形成される第二材が重ね合わされて固定されて形成されており、
前記第一材が車体の内側に配置される
ことを特徴とする車両用断熱吸音材。
【請求項２】
前記第一材の厚みは３ｍｍ以上とされる
ことを特徴とする請求項１に記載の車両用断熱吸音材。
【発明の詳細な説明】
【技術分野】
【０００１】
本発明は、各種車両の車体に用いられる断熱吸音材に関するものである。
【背景技術】
【０００２】
たとえば、鉄道車両には、その車体の壁内に、断熱吸音材が詰められている。従来、断熱吸音材として、ガラス繊維が用いられている。
【発明の概要】
【発明が解決しようとする課題】
【０００３】
しかしながら、ガラス繊維の断熱吸音材の場合、断熱吸音材に触れるとチクチクしてしまい、取り扱いが容易ではなかった。また、ガラス繊維は、リサイクルができないため、車体から取り外した後、廃棄するしかないという欠点があった。
【０００４】
本発明が解決しようとする課題は、取り扱いが容易で、リサイクルが可能な断熱吸音材を提供することにある。
【課題を解決するための手段】
【０００５】
本発明は、前記課題を解決するためになされたもので、請求項１に記載の発明は、車両の車体に適用される断熱吸音材であって、酸化ポリアクリロニトリルの繊維により形成される第一材に、ポリエステルの繊維により形成される第二材が重ね合わされて固定されて形成されており、前記第一材が車体の内側に配置されることを特徴とする車両用断熱吸音材である。
【０００６】
さらに、請求項２に記載の発明は、前記第一材の厚みは３ｍｍ以上とされることを特徴とする請求項１に記載の車両用断熱吸音材である。
【発明の効果】
【０００７】
本発明の断熱吸音材によれば、取り扱いが容易で、リサイクルが可能である。
【図面の簡単な説明】
【０００８】
【図１】本発明の断熱吸音材の一実施例を示す斜視図である。
【図２】図１の断熱吸音材を電車の車体に取り付けた状態を示す断面図である。
【発明を実施するための形態】
【０００９】
以下、本発明の断熱吸音材の一実施例について図面に基づいて具体的に説明する。
【００１０】
図１は、本発明の断熱吸音材の一実施例を示す斜視図である。なお、図示例では略矩形状とされているが、形状を適宜変更できることは言うまでもない。
【００１１】
本実施例の断熱吸音材１は、第一材３に第二材５が重ね合わされて構成される２層構造とされる。本実施例では、第一材３は、酸化ポリアクリロニトリルの繊維を綿状に形成して構成されている。
【００１２】
第二材５は、ポリエステルの繊維を綿状に形成して構成されている。
第一材３と第二材５とは、接着剤７により固定されており、本実施例の断熱吸音材１は、シート状に形成されている。
【００１３】
本実施例の断熱吸音材１は、不燃性を有している。具体的には、第一材３を構成する酸化ポリアクリロニトリルは炭素繊維であり、不燃性を有しており、本実施例の断熱吸音材１は、耐火断熱吸音材とされる。
【００１４】
第一材３は、その厚みｔ１が３ｍｍ以上とされるのがよい。また、第一材３の厚みｔ１は、断熱吸音材１の厚み（ｔ１＋ｔ２）の５〜２０％とされるのがよい。耐火性を考慮したものである。たとえば、断熱吸音材１の厚みが５０ｍｍの場合、第一材３の厚みｔ１は３ｍｍとされ、第二材５の厚みｔ２は４７ｍｍとされ、断熱吸音材１の厚みが２５ｍｍの場合、第一材３の厚みｔ１は３ｍｍとされ、第二材５の厚みｔ２は２２ｍｍとされる。
本実施例では、断熱吸音材１の密度は、全体として８〜１０ｋｇ／ｍ３とされる。
【００１５】
本実施例の断熱吸音材１は、その厚みが５０ｍｍ（第一材３の厚みｔ１が３ｍｍ、第二材５の厚みｔ２が４７ｍｍ）の場合、吸音率を測定すると、周波数が１０００Ｈｚ時に、吸音率が６０％以上となり、２００Ｈｚ時に、８０％以上となった。
また、断熱吸音材１の厚みが２５ｍｍ（第一材３の厚み１が３ｍｍ、第二材５の厚みｔ２が２２ｍｍ）の場合、吸音率を測定すると、周波数が１０００Ｈｚ時に、吸音率が３０％以上となり、２００Ｈｚ時に、５０％以上となった。このように、本実施例の断熱吸音材１は、吸音性能に優れている。なお、吸音率の測定は、ＪＩＳ  Ａ  １４０５−２（音響管による吸音率およびインピーダンスの測定−第２部：伝達関数法）に準拠して行った。
【００１６】
図２は、本実施例の断熱吸音材を電車の車両に適用した状態を示す断面図である。
【００１７】
このような構成の本実施例の断熱吸音材は、たとえば、図２に示すように鉄道車両の車体Ｂに使用することができる。
【００１８】
鉄道車両の車体Ｂは、その外周部が、外壁２１と内壁２３とにより構成されており、外壁２１と内壁２３との間には隙間が形成されている。
この外壁２１と内壁２３の隙間に、本実施例の断熱吸音材１が詰められる。この際、車内で火災などが発生した場合に、延焼を防止するため、第一材３が内側（室内側）へ配置される。このように、本実施例では、第一材３が内側へ配置されて、断熱吸音材１が外壁２１と内壁２３の隙間を埋めるように収容される。
【００１９】
本実施例の断熱吸音材１は、適宜切断が可能であり、取り付ける場所の形状や大きさに合わせて切断すればよい。また、本実施例の断熱吸音材１は、ガラス繊維を使用しないので、取り扱いが容易である。さらに、車体から取り外した後、リサイクルが可能である。
【００２０】
本発明の断熱吸音材は、上記実施例の構成に限らず、適宜変更可能である。
たとえば、断熱吸音材の厚みは適宜変更可能である。また、上記実施例では、車体Ｂの側壁に断熱吸音材１を詰めたが、車体Ｂの床下にも断熱吸音材１を詰めても構わない。
【符号の説明】
【００２１】
１  断熱吸音材
３  第一材
５  第二材
【図１】
2015151100.tif 000003
【図２】
2015151100.tif 000004
(57)【要約】【課題】  伸びる面ファスナーを着脱部に使用する事で、防水性と着脱性と運動性を向上させたウェットスーツおよびドライスーツを提供する。【解決手段】ウェットスーツおよびドライスーツの着脱部分の開口部を広くし、着脱部分とカバー部分の両方に伸びる面ファスナーを取付け、着脱性と防水性と運動性を高めた事を特徴とするウェットスーツおよびドライスーツ。【選択図】図２
2015151662.tif 000002
【特許請求の範囲】
【請求項１】
ウェットスーツおよびドライスーツの着脱部分の開口部を広くし、着脱部分とカバー部分の両方に伸びる面ファスナーを取付け、着脱性と防水性と運動性を高めた事を特徴とするウェットスーツおよびドライスーツ
【発明の詳細な説明】
【技術分野】
【０００１】  本発明は、伸びる面ファスナーを着脱部に使用する事で、防水性と着脱性と運動性を向上させたウェットスーツおよびドライスーツに関するものである。
【背景技術】
【０００２】  従来、伸びない面ファスナーを着脱部に使用したウェットスーツおよびドライスーツはあった。
【発明の概要】
【発明が解決しようとする課題】
【０００３】  その為、次のような問題があった。
イ．  面ファスナーが伸びないため、着脱部全てに伸びない面ファスナーを使用すると、運動性が悪かった。
ロ．  運動性が悪いため、伸びない面ファスナーを着脱部の一部分に使用しているが、隙間が開くため防水性が悪かった。
ハ．  防水性を上げるため、着脱する開口部を狭くし防水性を上げているが、着脱性が劣った。
ニ．  伸びない面ファスナーを着脱部の一部に使用しても、その部分だけ伸びが悪く運動性や着心地が悪かった。
【課題を解決するための手段】
【０００４】ウェットスーツおよびドライスーツの着脱部分の開口部を広くし、着脱部分とカバー部分の両方に伸びる面ファスナーを取付け、着脱性と防水性と運動性を高めた。
以上を特徴とするウェットスーツおよびドライスーツ
【発明の効果】
【０００５】面ファスナーが伸びるため、着脱部とカバー部分の全体に面ファスナーが使用でき、隙間が開かないので防水性を高める事が出来る。
且つ着脱する開口部も広くすることで、着脱性を高める事が出来る。
また面ファスナーが伸びるので、全体および一部に使用しても運動性を損なわない。
【図面の簡単な説明】
【０００６】
【図１】従来品の全体正面図
【図２】本発明の全体正面図
【図３】本発明の全体背面図
【図４】本発明の上半身のカバーを開けた正面図
【図５】本発明の上半身のカバーを開けた背面図
【発明を実施するための最良の形態】
【０００７】  イ．  本体（１）の首部に伸縮性のある着脱開口部（７）と伸びる面ファスナーループ側（６）を接合する。
ロ．  本体（１）背面に衿（２）と伸びる面ファスナーフック側（５）を取り付けたカバー（３）を接合する。
本発明は以上のような構成で、これを着用するときは、着脱開口部（７）を開き、足を通して体を入れる。着脱開口部（７）を胸付近まで上げ、片腕ずつ袖を通し、着用する。
着用後、カバー（２）を後方からかぶり、伸びる面ファスナーフック側（５）を伸びる面ファスナーループ側（６）に固定し、衿（３）を折り返す。
伸びる面ファスナーフック側（５）と伸びる面ファスナーループ側（６）を密着させる事により、カバー（２）の前面および側面からの水の浸入を防ぐ事が出来る。
【符号の説明】
【０００８】    １  本体
２  カバー
３  衿
４  伸びない面ファスナー
５  伸びる面ファスナー  フック側
６  伸びる面ファスナー  ループ側
７  着脱開口部
【図１】
2015151662.tif 000003
【図２】
2015151662.tif 000004
【図３】
2015151662.tif 000005
【図４】
2015151662.tif 000006
【図５】
2015151662.tif 000007
(57)【要約】      （修正有）【課題】毎日パジャマ、服を一人で着替えるのが当たり前。でも当たり前のことがスムーズにできない。前身頃は下ろすことが出来ても後ろ身頃は頸椎の下や肩甲骨のところで固まってしまって下に下ろすことが困難。という人に後ろ紙を提供する。【解決手段】薄いボードを素材に後ろ身頃の型紙（３Ｌ，２Ｌ，Ｌ，Ｍ，Ｓ，）をつくる１。体に傷がつかないように型紙にカバーを付ける２。型紙の裾にクリップを設ける。後ろ身頃を、これから着ようとする服の中に入れ、後ろ身頃に添えて服の裾をクリップで止める３。前身頃と後ろ紙の間に上体を入れる。頭を出し、両腕を出す。綺麗に仕上がるとクリップから服の裾を外す。後ろ紙を取り外す。【選択図】図１
2015151664.tif 000002
【特許請求の範囲】
【請求項１】
薄いボードで後ろ身頃を作成する。
身頃の裾にクリップを設ける。
服の間にボードを入れる。
服の後ろ身頃の裾をクリップで止める。
前身頃とボードの間に頭と手と体を入れる。
頭を出す。
腕を出すと綺麗に着衣が出来ている。
【発明の詳細な説明】
【技術分野】
【０００１】    この発明は腕が少ししか回らない、腰が曲がっている人や、背中が曲がっている人が介添えなしで着衣が出来る後ろ紙に関するものである。
【背景技術】
【０００２】    従来この件は目にすることがなかった。
【発明の概要】
【発明が解決しようとする課題】
【０００４】    これは、近年、高齢独居人が増え、起床すると着替える作業にとりかかるが腕の動きが硬くなることや、腰や背中が曲がっていることで、後ろ身頃が下りにくい人を助けるためになされたものである。
【課題を解決するための手段】
【０００５】    後ろ身頃の型紙（３Ｌ，２Ｌ，Ｌ，Ｍ，Ｓ）を作成する。
型紙の裾にクリップを設ける。
本発明は以上の構成よりなる後ろ紙である。
【発明の効果】
【０００６】  後ろ紙が背中に真っ直ぐ張り付いて、頸椎のところ左右の肩にぴったりはまって、自然に首、肩、背中が綺麗に整って着衣が出来ている。
【図面の簡単な説明】
【０００７】
【図１】
2015151664.tif 000003
【図２】
2015151664.tif 000004
【発明を実施するための形態】
【０００８】しなやかな薄い板に後ろ身頃をかたどる。
板が薄いため手や体が傷を付かないように板に薄い布でカバーする。
上体のサイズ３Ｌ，２Ｌ，Ｌ、Ｍ，Ｓを作成する。
後ろ身頃の裾にクリップを取り付ける
【符号の説明】
【０００９】  １、薄い板で、後ろ身頃を作る。
２、１の上からカバーをほどこす。
３、後ろ身頃の裾に３か所にクリップを設ける。
【図１】
2015151664.tif 000005
【図２】
2015151664.tif 000006
【手続補正書】
【提出日】平成26年4月17日(2014.4.17)
【手続補正１】
【補正対象書類名】明細書
【補正対象項目名】０００７
【補正方法】変更
【補正の内容】
【０００７】
【図１】  本発明の平面図である。後ろ見頃を型取り、上体を服の中にスムーズに入り易いように脇から裾にかけてスリムにしている。
【図２】  本発明の使用法である。後ろ紙をこれから着ようとする肌着や洋服の間に入れ、後ろ見頃に付け、裾に設けてあるクリップに鋏み固定する。前身頃と後ろ紙の間に上体を入れる。
(57)【要約】【課題】  腿が冷えないように、ポケットつきももウォーマーを提供する。【解決手段】  レッグウォーマーに腿用のウォーマー（１）を設け、腿用のウォーマー（１）にポケット（２）を設けたポケットつきももウォーマーを特徴とする。【選択図】図１
2015151665.tif 000002
【特許請求の範囲】
【請求項１】
腿用のウォーマー（１）にポケット（２）を設けたポケットつきももウォーマー。
【発明の詳細な説明】
【技術分野】
【０００１】  この発明は、腿を暖めるためのポケットつきももウォーマーに関するものである。
【背景技術】
【０００２】  従来、レッグウォーマーはひざ下から足首までだった。
【発明の開示】
【発明が解決しようとする課題】
【０００３】  これは次のような欠点があった。
レッグウォーマーは腿の部分がないので腿が冷えていた。
本発明は、この欠点を除くためになされたものである。
【課題を解決するための手段】
【０００４】  腿用のウォーマー（１）を設け（１）にポケット（２）を設ける。
本発明は、以上の特徴としたポケットつきももウォーマーである。
【発明の効果】
【０００５】  腿が冷えるときは手軽に着用でき、ポケットにカイロを使用することで更に暖かくなる。
【発明を実施するための最良の形態】
【０００６】  以下、本発明を実施するための最良の形態について説明する。
腿用のウォーマー（１）、ポッケト（２）を発熱、伸縮性の生地にする。
本発明は、以上のような特徴である。
これを使用するときは、ポケットに入れるカイロを身体にあわせて調整する。
【図面の簡単な説明】
【０００７】
【図１】  本発明の正面図である。
【符号の説明】
【０００８】  １  腿用のウォーマー
２  ポケット
【図１】
2015151665.tif 000003
(57)【要約】【課題】  本発明は切り花の日持ちを採花したそのままの状態で長期間延長し、新鮮な切り花として流通しようとする花卉産業界に貢献し得る究極の切り花日持ち延長装置である。  すべての物質は酸素に触れて酸化するものであるから、真空ではなく窒素ガスを注入して切り花と酸素を遮断し、成長活動を止め、色素を損なわず鮮度も減少させず、冬眠状態で保存する切り花日持ち延長装置である。【解決手段】  密封した袋に切り花と少量の生石灰を同封し、空気を抜いて窒素ガスを注入し、空気と入れ替えて、再び密封し、涼しい場所で販売に提供する。【選択図】図１
2015117226.tif 000002
【特許請求の範囲】
【請求項１】
空気抜き取り口兼窒素注入口を設けたビニール袋に切り花と小袋に入れた生石灰を入れ、瞬間接着剤で袋を密封し、コンプレッサーか掃除機で空気抜きとり口から軽く空気を抜き、代わりに窒素ガスを注入して、再び注入口を瞬間接着剤で密封する。
【発明の詳細な説明】
【技術分野】
【０００１】本発明は「切り花の日持ち期間」を延長し、採花したまゝの鮮度を保ち、切り花の寿命を延ばす、切り花日持ち延長装置に関するものである。
【背景技術】
【０００２】従来、切り花は採花したまゝのものを、そのまゝ使用する以外には方法がなく、日持ち期間が極めて短い。
【先行技術文献】
【特許文献】
【０００３】
【特許文献１】
【発明の概要】
【発明が解決しようとする課題】
【０００４】従来、切り花は切り取ったまゝ出荷するしかなく、最近漸く販売先や産地が切り花の日持ちに強い関心を持ち対応を検討しているが、それでも日持ちの保証期間は５日間と極めて短く不十分である。大規模な低温倉庫や冷蔵施設は個々の小売店には関係がなく、コストが高くつく等困難である。長い歴史の中で人間生活を潤し癒してきた花卉業界が、業界にとって最も大切な切り花の日持ち対策を放置していた事は、花卉産業界にとって致命的欠陥であり、看過できない問題である。本発明は以上の問題点を解決するものである。
【課題を解決するための手段】
【０００５】空気の抜き取り口兼窒素注入口を設けたビニール製の袋に切り花を入れ、少量の生石灰を別の小袋に入れて接着剤で袋を密封する。次にコンプレッサーか掃除機で空気抜き取口から軽く空気を抜き、直ちに窒素ガスを入れて再び注入口を密封する。
以上が切り花の日持ち延長装置。
【発明の効果】
【０００６】本発明は切り花では長期間は不可能とされている日持ち期間を１５日から２０日間、とれたてそのまゝの状態で維持する。尚、実施の形態がきわめて簡単であり  器具又は材料も安価でありコストが低く、更に流通の末端まで、処理をしたまゝ運ぶ事が出来るのが極めて強味である。而も大量処理も可能である。新鮮な切り花が長期間流通できる事は、花卉業界の振興に貢献するだけでなく、日本経済にも大きく貢献するものである。
【図面の簡単な説明】
【０００７】
【図１】切り花を包むビニール袋
【図２】切り花と生石灰を同封し、窒素ガスを注入した状態
【発明を実施する為の形態】
【０００８】空気の抜き取り口兼窒素注入口をつけたビニール袋に切り花を入れて、生石灰を通気性の小さい袋に入れ接着剤で同封する。
同封する比率は下記の通り。
切り花の袋の容量          １８リットル
生石灰                    １００ｇ
空気の抜き取り口からコンプレッサーか掃除機で軽く空気を抜き、直ちに窒素ガスを入れ、空気と入れ替えてから、再び接着剤で穴を完全に密封する。
以上で放射性物質とイオンの相乗効果により、残量の酸素を完全に処理し、切り花と酸素が遮断されて、色素も損なわずまったく切り取った時そのまゝの鮮度を保つ事が可能である。尚、ビニール袋は極力薄いもので透明度の高いもの、そして強いものを使用する事で、切り花の商品価値を高め、使用範囲も拡大するものである。例えばブーケとか冠婚葬祭の祭壇、家庭用の装飾等〃、許す限り万般に亘って、本延長装置をそのまゝ使用すると、更に驚異的に日持ち期間が延長される。切り花史上革命的処置である。
【符号の説明】
【０００９】１．切り花と生石灰を入れてから接着剤で密封する
２．ビニール袋本体
３．窒素ガス注入
４．空気抜き取口兼窒素ガス注入口（ガス注入後再び接着剤で密封）
５．採花日、販売期限日、生産者名、販売者名を明示する
６．生石灰
【図１】
2015117226.tif 000003
【図２】
2015117226.tif 000004
(57)【要約】      （修正有）【課題】ボリフェノールの原義、水脂両性親和性三肢的角道賀という構造・性質を携えたピラミディアルサンドグラシノールを提供する。【解決手段】中心の正方形状に配されたＣ原子Ｃから任意の３つを選ぶ。そして、そこから放射状に２つ３組の芳香環様分子（Ｃ６Ｈ５×６）、又さらにＨ原子が中心のＣ原子をまたいで芳香環様分子との間に最初は、陽イオンの形で、次は、イオン化されていない形で、存在する、ローリエポリフェノール。【選択図】図１
2015117225.tif 000002
【特許請求の範囲】
【請求項１】
ピラミディアルサンドグラシノールは、中心に、Ｃ原子４コ（１）、そして、それを取り巻くように、芳香環様分子（２）２つが３組、Ｈ陽イオン（３）３つが取り巻いてできており、有機溶媒電解溶液中ではピラミッド型、無機電解質溶液中では、サンドグラス型をなし、
また、これは、
古代ローマ時代、ローリエの葉は、ピラミッド（Ｐｙｒａｍｉｄ）のような栄華の頂点を極めたローマ帝国の栄光のシンボルとされ、砂時計（サンドグラス）のような長い時間をかけて、南ヨーロッパから、中東、西アジア、そして２０２０年オリンピック開催の日本へと伝わってきたことにも、その名は由来するのだが、
分子量は２７３〜３２３（３２３は、２Ｏ２−多原子陰イオンを含む）と大きかったり、その形状の大きさにより、腎臓のボーマンのうでのろ過や尿での出具合が、ふつう−そこそこの状態から、原尿がよく出て尿でもよく出る状態が予測される。
【発明の詳細な説明】
【技術分野】
【０００１】  この発明は、数あまたある未解明なポリフェノール分子の１つのピラミディアルサンドグラシノールの構造解明と性質に関するものである。
【背景技術】
【０００２】  従来、様々なポリフェノールの立体構造・分子構造は明らかにされてきた。予てから、芳香環が２つつながったもの３つに複数の炭素原子からなる物質があるらしいと予言されていたが、それらの分子構造・立体構造は明らかにされていなかったので、その解明に乗りだしてみた。
【先行技術文献】
【特許文献】
【０００３】
【特許文献１】インターネット〔ポリフェノール  立体構造〕で検索した画面
【発明の概要】
【発明が解決しようとする課題】
【０００４】  これは、全く新しい、発明・発見であるので、一部、以前のものを踏襲している部分も
2015117225.tif 000003
【課題を解決するための手段】
【０００５】  構造式で書くと、その中心を交差するように通る同一平面上にあり正方形を形作るＣ分子４つ（１）と、その４つのＣ分子の中で任意の３つを選び出し、展開図で示すと、そこから、３組６つのＣ６Ｈ５分子（２）と、前述の４つのＣ分子（１）の中心から任意に選び出した各Ｃ原子３つを通ってその延長させた放射線状に、各々、Ｃ６Ｈ５分子（２）、Ｈ＋（３）、Ｃ６Ｈ５分子（２）といった順に、ただし、Ｈ＋（３）は、Ｃ６Ｈ５分子（２）（ここでは芳香環様分子と名づける。）のＣ原子とＣ原子の間に挟まれるような形で存在する。
また、有機溶媒電解溶液中ではこのポリフェノール分子本体と２Ｏ２−イオンの延長上にＨ＋（４）が、無機電解質溶液中ではこのポリフェノール分子本体と２Ｏ２−イオンの延長上にＨ３Ｏ＋イオン（５）が、くる。
本発明は、以上の構成よりなるピラミディアルサンドグラシノールである。
【発明の効果】
【０００６】  ピラミディアルサンドグラシノールは、ポリフェノールの中では、３次元的にコンパクト、だが、近位尿細管から毛細血管へ再吸収することができないグルコース分子より、高分子でダイナミックな３次元的なポーズをとっている。よって、血中で〔超巨大ポリフェノール重合体〕を形作り、一度、糸球体からボーマン嚢へ原尿として濾過されたら、老廃物として再吸収されない、もしくはされにくい、という効果があげられる。
【図面の簡単な説明】
【０００７】
【図１】  本発明の展開図である。
【図２】  本発明の一肢縦断面図である。
【図３】  本発明の立体模型図である。
【発明を実施するための形態】
【０００８】
2015117225.tif 000004
式で書くとその中心を交差するように通るＣ分子４つ（１）と、これは；両側へと：有機溶媒電解液中では水素陽イオンＨ＋と結合し（まるで、ピラミッド型をなし）、無機電解質溶液中ではＨ３Ｏ＋と結合し（同様に、頂点はサンドグラス型をなし）、両方とも、同様に、挟み込むように、２Ｏ２−分子を捉えるのであるが、その両端は、Ｈ＋（４）と芳香環分子２量体が接合されるべきＣ原子、もしくは、Ｈ３Ｏ＋（５）と芳香環分子が接合されるべきＣ原子と、但し、この場合、Ｃ原子は４つのうち任意のうち３つを選び、それに呼応するようなＨ＋３つを選択してよいのだが、これと芳香環様２量体分子（２）×２、３つが結合してできたものがポリフェノール作用をなす、〔超巨大ポリフェノール分子重合体群〕である。
本発明は、以上の構成よりなる、ピラミディアルサンドグラシノールである。
以上が、ピラミディアルサンドグラシノールの実施形態である。
【符号の説明】
【０００９】１  ４つのＣ原子
２  芳香環様分子（Ｃ６Ｈ５）
３  Ｈ陽イオン
４  Ｈ＋
５  Ｈ３Ｏ＋
【発明の補遺】
【００１０】  古代ギリシャ時代以来、栄光のシンボルとされてきたローリエの葉に、果たして、ポリフェノール物質は含まれるのか？というような、永年の課題があった。
そこで、自分は、ローリエと縁の深い、マリネ漬けにされてあったローリエの葉っぱ近辺からの抽出に成功した。
それは、ローリエに用いる酢酸やエチルアルコールから、アセチレンが生じるのだが、それが、悪の元凶、活性酸素のイオン化された、酸素と結びつくと、肉や魚肉が、身崩ずれを起こしてしまうのだが、その活性酸素とローリエの葉のポリフェノールすなわち、ベイリーフポリフェノールが、結び付くことによって、臭いが吸着され、取り除かれることからも、おわかりいただけるであろう。
このような機序で、ベイリーフポリフェノールの抗酸化作用は働く。
【図１】
2015117225.tif 000005
【図２】
2015117225.tif 000006
【図３】
2015117225.tif 000007
(57)【要約】      （修正有）【課題】太陽熱鉱物成分溶解抽出装置は太陽熱を大型ガラス球体で集熱し、受光部材等を一切使用せず直接に溶解抽出するための鉱石に高熱を伝導し、高熱水及び高熱蒸気を生産する。【解決手段】太陽熱鉱物成分溶解抽出装置は水槽６の間に断熱材を入れた二重構造とし、水槽６上部は大型ガラス球体２の半球を露出させ、水槽６内には鉱石３と水４を入れる。【選択図】図１
2015117927.tif 000002
【特許請求の範囲】
【請求項１】
大型ガラス球体（２）と鉱石（３）を敷き詰め水（４）を入れた水槽（６）を有する太陽熱鉱物成分溶解抽出装置。
【請求項２】
水槽上部に大型ガラス球体（２）の半球部分を露出する構造と断熱材（５）を中に詰めた二重構造の水槽（６）を有する請求項１に記載の太陽熱鉱物成分溶解抽出装置。
【発明の詳細な説明】
【技術の分野】
【０００１】  本発明は太陽熱鉱物成分溶解抽出装置に関する。より詳細には大型ガラス球体にて集熱面積を広くし、より高熱を得るための太陽熱鉱物成分溶解抽出装置である。
【背景技術】
【０００２】  工場や建築物等で火力や電力により、蒸気使用機器を用いて、高熱水及び高熱蒸気にて鉱物成分溶解抽出が一般に行なわれている。【０００３】  太陽光温水器は火力や電力を使用しない太陽光による温水装置として一般に普及している。【０００４】  特許文献１では太陽光を集熱するためにリニアレンズを使用する記載が有り、また、特許文献２では凸レンズ、特許文献３では球状レンズによつて太陽光を集熱することが記載されている。
【特許文献１】特開２００８−２１６７１７号公報
【特許文献２】特開２００６−３４９３２９号公報
【特許文献３】特開２０１０−１３９１４０号公報
【発明の開示】
【発明が解決しようとする課題】
【０００５】  工場や建築物等で火力や電力により蒸気使用機器を用いる場合は火力や電力を使用するためのエネルギーコストが大きな負担となる。【０００６】  特許文献１のリニアレンズ、特許文献２の凸レンズ、特許文献３の球状レンズ、また、受光部分はレンズ保持部材、受光部材等を使用し温水を提供する。
【課題を解決するための手段】
【０００７】  上記の０００５の課題を解決するために本発明はエネルギーコストを不要とするために火力や電力を一切使用せず、太陽熱を熱源とする。【０００８】  上記の０００６の課題を解決するために本発明は直径２ｍ以上の大型ガラス球体を使用し集熱面積を広くし、高熱水及び高熱蒸気を生産する。また集熱した熱は受光部分に使用されるレンズ保持部材や受光部材等を一切使用しないで直接に溶解抽出するための鉱石に高熱を伝導する。
【発明の効果】
【０００９】  本発明にかかる太陽熱鉱物成分溶解抽出装置は以下のような優れた効果を発揮する。【００１０】  大型ガラス球体にて集熱することにより、温水以上の高熱水及び高熱蒸気が生産でき、火力や電力を使用しないでエネルギーコストを不要とすることができる。【００１１】  水槽は断熱材を間に入れた二重構造にすることによって内部熱の放出を防ぎ、蓄熱し、高熱水及び高熱蒸気を維持することができる。
【発明を実施するための最良の形態】
【００１２】  この発明を実施するための最良の形態について、図面に基づいて説明する。図１は太陽熱鉱物成分溶解抽出装置を示す平面図。図２は断面図である。【００１３】  水槽内には鉱石３と水４を入れ、大型ガラス球体２は半球を水槽上部に露出する。【００１４】  水槽は断熱材を間に入れた二重構造。
【図１】
2015117927.tif 000003
【手続補正書】
【提出日】平成26年3月31日(2014.3.31)
【手続補正１】
【補正対象書類名】明細書
【補正対象項目名】全文
【補正方法】変更
【補正の内容】
【発明の詳細な説明】
【技術分野】
【０００１】  本発明は太陽熱鉱物成分抽出装置に関する。より詳細には直経３ｍ以上の大型ガラス球体を使用することにより、大型ガラス球体の集熱面積を広くして、３００℃以上の高熱を得るための太陽熱鉱物成分溶解抽出装置である。
【背景技術】
【０００２】  工場や建築物等で火力や電力により、蒸気使用機器を用いて、高熱水及び高熱蒸気にて、鉱物成分溶解抽出が一般に行なわれている。
大陽光温水器は火力や電力を使用しない太陽光による温水装置として一般に普及している。
特許文献１では太陽を集熱するためにリニアレンズを使用する記載が有り、また、特許文献２では凸レンズ、特許文献３では球状レンズによって太陽光を集熱することが記載されている。
【先行技術文献】
【特許文献】
【０００３】
【特許文献１】  特開２００８−２１６７１７号報
【特許文献２】  特開２００６−３４９３２９号報
【特許文献３】  特開２０１０−１３９１０４号報
【非特許文献】
【０００４】
【発明の概要】
【発明が解決しようとする課題】
【０００５】  工場や建築物等で火力や電力により蒸気使用機器を用いる場合は火力や電力を使用するためのエネルギーコストが大きな負担となる。
特許文献１のリニアレンズ、特許文献２の凸レンズ、特許文献３の球状レンズ、また、受光部分はレンズ保持部材、受光部材等を使用し温水を提供する。
【課題を解決するための手段】
【０００６】  上記０００５の課題を解決するための本発明は、エネルギーコストを不要とするために火力や電力を一切使用せず、太陽熱を熱源とする。
上記の０００６の課題を解決するために本発明は直径３ｍ以上の大型ガラス球体を使用し、集熱面積を広くし、高熱水及び高熱蒸気を生産する。また、集熱した熱は受光部分に使用されるレンズ保持部材や受光部材等を一切使用しないで直接に溶解抽出するための鉱物と水に高熱を伝導する。
【発明の効果】
【０００７】  本発明にかかる太陽熱鉱物成分溶解抽出装置は以下のような優れた効果を発揮する。
直径３ｍ以上の大型ガラス球体にて集熱することにより、沸点以下の温度より更に高い沸点を越える３００℃以上の高熱水及び高熱蒸気が生産でき、火力や電力を使用しないでエネルギーコストを不要とすることができる。
水槽は間に断熱材を入れた二重構造にすることによって、内部熱の放出を防ぎ、蓄熱し、高熱水及び高熱蒸気を維持することができる。
【図面の簡単な説明】
【０００８】
【図１】について、上段は太陽熱鉱物成分溶解抽出装置を上部より見た平面図である。つまり、水槽６と大型ガラス球体２の配置を示す。下段は太陽熱鉱物成分溶解抽出装置の断面図である。つまり、大型ガラス球体２を通過する太陽熱１と、太陽熱１を伝導する鉱物３と水４の配置を示す。また、水槽６は二重構造で間に断熱材５を入れた図である。
【発明を実施するための形態】
【０００９】  この発明を実施するための形態について、図面に基づいて説明する。
水槽６内には鉱物３と水４を入れ、大型ガラス球体２は半球を水槽６上部に露出し、太陽熱１を受ける。
水槽６は断熱材５を入れた二重構造。
【実施例】
【００１０】
【産業上の利用可能性】
【００１１】  鉱物成分溶解抽出により、産業上の利用可能性は、鉱物に含有する鉱物成分を医薬・肥料・ミネラルウォーター等の製造．原料として利用可能である。
(57)【要約】【課題】  津波や水害から身を守るための避難シェルターを提供する。【解決手段】  住宅を始めとする建築物内に、空気を溜めることができる避難シェルターを設置し、その空気を利用して生きながらえ、住宅を初めとする建築物内から外部に避難することなく、居ながらにして津波や水害から身を守るための避難シェルターである。【選択図】図１
2015117566.tif 000002
【特許請求の範囲】
【請求項１】
耐浪性の高い住宅を始めとする建築物内に、強化プラスチックや鉄板などで空気を溜めることができる構造体を設置し、その空気を利用して生きながらえ、住宅を始めとする建築物内から外部に避難することなく、居ながらにして津波から身を守ることを特徴とする避難シェルター。
【請求項２】
出入口より上の空気を溜める上部と浸水が想定される上部を支える下部を別途製作し結合することにより、簡単に一体形成とすることができる請求項１の製造方法。
【発明の詳細な説明】
【技術分野】
【０００１】  本発明は、住宅を始めとする建築物において、住民を津波や水害から守る避難シェルターに関するものである。
【背景技術】
【０００２】  風呂において、風呂桶をお湯につけても風呂桶の内部には空気が溜まることが知られている。
【発明の概要】
【発明が解決しようとする課題】
【０００３】  津波や風水害が、住宅を始めとする建築物を襲った時に、多くの住民が避難所に行く途中で被災している。
【発明を解決するための手段】
【０００４】  本発明は、水没した場合においても、密封された容器に空気が溜まることに着目し、津波への防御は耐浪性の高い住宅を始めとする建築物に委ね、その住宅を始めとする建築物内において、人が入れる避難シェルターを設置することにより、人の生命を確保できることを目的とする。
【０００５】  このような目的を達成するため本発明は、標準として大人４人が６時間、水没した構造体の中で生存できる空気量が、約３０００リットルであることに着目し、耐浪性の高い住宅を始めとする建築物内に、強化プラスチックや鉄板などで空気を溜めることができる避難シェルターである。
【発明の効果】
【０００６】  本発明では、避難予定の家族数に応じた空気量を、避難シェルターの上部に確保し、水没した場合であっても、津波や風水害の治まるまでその空気を吸って、住宅を始めとする建築物に居ながらにして避難を可能とするものである。
【図面の簡単な説明】
【０００７】
【図１】避難シェルター側面の断面図
【図２】避難シェルターの斜視図
【発明を実施するための形態】
【０００８】    以下、本発明の実施の一形態について、図面を参照して説明する。
図１に示すように、４の耐浪性の高い住宅を始めとする建築物内に、１の強化プラスチックや鉄板などで空気が漏れないようにした避難シェルターを設置する。その空気量は、大人４人、６時間で約３０００リットルを必要とするため、２の出入口の高さ位置を調整し、その空気量を確保できるように製作し、さらに、流出物から体を守るため、２の出入口を遮蔽する扉を設置する。
【０００９】  本発明は、津波からの防御は、住宅を始めとする建築物で対応し、本発明による避難シェルターは、密閉できる程度の強度で良いため、製造が容易いことを特徴とする。
【００１０】  避難シェルター内では、３の段差を設け、避難予定の家族が、身長に応じて水没した時に無理なく過ごせるようにする。
【００１１】  避難シェルターの設置箇所は、建築物屋上の出入口やペントハウスなどへの設置のほか、一時的な水没が想定される建築物内の室内に設置することもできる。
【００１２】  本発明は、標準タイプを製作し連結することで、部屋の大きさに応じた避難シェルターを簡単に設置することができる。
【００１３】  避難シェルターは空気が漏れないように密閉することが重要であるため、構造体の３の出入口より上の空気を溜める部分と浸水することが想定されている下の上部を支える部分とを別途製作し、結合することで簡単に一体形成の避難シェルターとすることが可能である。
【符号の説明】
【００１４】１  避難シェルター
２  出入口
３  段差
４  建築物
【図１】
2015117566.tif 000003
【図２】
2015117566.tif 000004
【手続補正書】
【提出日】平成26年5月2日(2014.5.2)
【手続補正１】
【補正対象書類名】特許請求の範囲
【補正対象項目名】請求項１
【補正方法】変更
【補正の内容】
【請求項１】
耐浪性の高い住宅を始めとする建築物内に、強化プラスチックや鉄板などで空気を溜めることができる避難シェルターを設置し、その空気を利用して生きながらえ、住宅を始めとする建築物内から外部に避難することなく、居ながらにして津波から身を守ることを特徴とする避難シェルター。
【手続補正２】
【補正対象書類名】明細書
【補正対象項目名】０００５
【補正方法】変更
【補正の内容】
【０００５】  このような目的を達成するため本発明は、標準として大人４人が６時間、水没した避難シェルターの中で生存できる空気量が、約３０００リットルであることに着目し、耐浪性の高い住宅を始めとする建築物内に、強化プラスチックや鉄板などで空気を溜めることができる避難シェルターである。
【手続補正３】
【補正対象書類名】明細書
【補正対象項目名】０００８
【補正方法】変更
【補正の内容】
【０００８】    以下、本発明の実施の一形態について、図面を参照して説明する。
図１に示すように、耐浪性の高い住宅を始めとする４の建築物内に、強化プラスチックや鉄板などで空気が漏れないようにした１の避難シェルターを設置する。その空気量は、大人４人、６時間で約３０００リットルを必要とするため、２の出入口の高さ位置を調整し、その空気量を確保できるように製作し、さらに、流出物から体を守るため、２の出入口を遮蔽する扉を設置する。
【手続補正４】
【補正対象書類名】明細書
【補正対象項目名】００１３
【補正方法】変更
【補正の内容】
【００１３】  避難シェルターは空気が漏れないように密閉することが重要であるため、２の出入口より上の空気を溜める部分と浸水することが想定されている下の上部を支える部分とを別途製作し、結合することで簡単に一体形成の避難シェルターとすることが可能である。
【手続補正５】
【補正対象書類名】図面
【補正対象項目名】図２
【補正方法】変更
【補正の内容】
【図２】
2015117566.tif 000005
(57)【要約】      （修正有）【課題】同一ボルトが締方向と緩み方向の力を同時に発揮し、強い振動や衝撃に対しても緩まない。【解決手段】ボルトの首下に胴体（シャンク）３または鍔を設け、その部分にボルトのねじ方向と同方向のねじ４を切る。そして、その部分にロックナットをねじ込み、ボルトの締付後にロックナットを締付対象座面に手動レンチ或いは引掛けレンチで着座させる。これによってボルトが緩もうとするとロックは締の方向に回ろうとし、この相関関係は常に成立している。ボルトに軸力が働いている限り相関関係は成立する。ロックナットが締方向に移動する。【選択図】図２
2015117818.tif 000002
【特許請求の範囲】
【請求項１】
ボルトの頭部下に新たに胴体（シャンク）或いは鍔の部分を設け、そこにボルトと同じ向きのねじを切り、そのねじ部にロックナットを取付け、ボルトの締付後に締付対象物にロックナットを密着させることにより、締付けたボルトが振動や衝撃によって緩まない緩み止機構付きボルト。
【請求項２】
同一ボルトが緩みと締、双方向の機能を同時に有することにより、ボルトの緩みを論理的に解消する機能を持ったボルト。
【発明の詳細な説明】
【技術分野】
【０００１】  本発明は、機械または構造物の部分と部分、または本体と部分とを結合する場合に用いるボルトで、緩み止機構を有するボルトに関するものである。
【背景技術】
【０００２】  従来、ボルトはそれ自体緩み止機能を有していない。従って、ボルトの緩み止を行うためには、その機能を有する特殊なワッシャーなどを使用する方法がある。しかし、これまでの如何なる方法も、ボルトを究極的に緩みから守る方法は考案されていない。
【先行技術文献】
【特許文献】
【０００３】
【出願特許文献】
特許第５２１６０６２号
【０００４】
【特許出願公開文献】
特開２０１３−８３３３８
【発明の概要】
【発明が解決しようとする課題】
【０００５】  ボルトが振動等によって緩みを生じた場合、想定外の大きな事故を招くことがある。しかし、これまでの緩み止方式では何れも緩むという必然性を根本的に払拭できていない。言い換えれば、理論的に完全な緩み止機構にはなっていないからである。完全な緩み止機能を発揮するためには、ボルトが緩もうとすると常にそれを妨げる機能をボルト自身が持っていなければならない。【０００６】  本発明は、ボルトがこの相反する機能を相補的に有する機構となっている。具体的には、ボルトに緩もうとする力が働くと、その力分だけ、ボルトを締めようとする力が常に働く仕組みになっている。
【課題を解決するための手段】
【０００７】  六角または他の形状のボルト頭部下にボルトの呼び径より大きなシャンク（胴）または鍔を設け、その箇所にねじと同方向の雄ねじを立て、そのねじ部に緩み止ナット（ロックナット）を取付ける。本発明は、以上の構成よりなる緩み止機構付きのボルトである。
【発明の効果】
【０００８】  ボルト締結の際生まれる軸応力によって、通常、当該ボルトは固定されるが、振動や衝撃が繰返しボルトに働いた場合、緩み現象が生じる。本発明は、このボルトの緩みを防ぐために、締付直後にボルトに取付けられたロックナットを締め込んで接触座面に着座させる。この状態で、もしボルトが緩もうとすると、ロックナットはボルトの緩み方向とは逆の締方向に回ろうとし、常にこの相関関係が同じボルトに成立するので、理論的にボルトは緩まない。すなわち、ボルト自らに自浄作用が働くことによって常に緩もうとする力を抑えることができる。【０００９】  また、振動・衝撃等によってロックナットだけが緩むのではないかと云う懸念に対して、１年８カ月に及ぶ砕石機（ジョー・クラッシャー）の衝撃振動作業で全く緩まない実績がある。更に、複数の公共研究機関による連続４時間以上の振動試験結果でも全く緩まないことが確認されている。その理由に挙げられるのが、実際このような状況下ではボルトも緩み方向に回ろうとし、機構が有する両者の相関関係が常に成立していることが考えられる。【００１０】  これに対して、ボルトの緩み止として使用される各種のワッシャーは、回り止めとしての一定の役割は果たすことはできても、確実に且つ理論的にボルトの緩みを防ぐという基本課題に応えていない。本発明による緩み止め機構は、その基本課題を解決している。
【図面の簡単な説明】
【００１１】  以下、本発明が達成する実施形態について図面を参照しながら説明する。
【図１】  本発明に係るボルト形態１（胴体式）の立体図
【図２】  同側面図
【図３】  同ボルト用ロックナット平面図
【図４】  同ロックナット側面図
【図５】  本発明に係るボルト形態２（鍔式）の立体図
【図６】  同ロックナット側面図
【図７】  同ボルト用ロックナット平面図
【図８】  ボルト形態２の側面図
【発明を実施するための形態】
【００１２】  以下、図面に従って本発明の機能、使用方法を説明すれば、ボルト形態１のボルト１は、図２のようにボルトの呼び径より大きな、しかしボルトの二面幅より小さな径の胴体（シャンク）部２を有し、この部分にボルトと同方向のねじ３が切ってある。
【００１３】  このねじ部３に図３のロックナット４をボルト頭部の下面近くまでねじ込んである。
これに対して、ボルト形態２のシャンク部６は、ボルトの対角より若干大きな鍔を形成し、この部分にボルトと同方向のねじ７が切ってある。
【００１４】  ボルト形態１及びボルト形態２は、使用対象や用途に応じて選択することができるが、同一の緩み止機構、目的を有している。
【００１５】  これらのボルトを使用する場合、最初、所定のトルクでボルトの締付を行い、次にロックナット４または８を着座させ、レンチまたは引掛けレンチを用いて接触面に密着させる。
【００１６】  以上、本発明の実施形態について具体的に説明してきたが、本発明はこれに限定されるものではなく、その趣旨を逸脱しない範囲で適宜変更可能である。
【符号の説明】
【００１７】１・・・ボルト形態１の立体図              ７・・・ボルト形態２の立体図
２・・・同断面図                          ８・・・同断面図
３・・・同ボルト胴体（シャンク）部        ９・・・同ボルトシャンク（鍔）部
４・・・同シャンクねじ部                １０・・・同シャンクねじ部
５・・・同シャンク用ロックナット平面図  １１・・・同シャンク用ロックナット平面図
６・・・同ロックナット断面図            １２・・・同ロックナット断面図
【図１】
2015117818.tif 000003
【図２】
2015117818.tif 000004
【図３】
2015117818.tif 000005
【図４】
2015117818.tif 000006
【図５】
2015117818.tif 000007
【図６】
2015117818.tif 000008
【図７】
2015117818.tif 000009
【図８】
2015117818.tif 000010